(57)【要約】【課題】一つの装備でデータ送受信、および充電と、音響の聴取ができるネックレスタイプイヤホーンを提供する。【解決手段】回路基板を有するケースと、マルチメディア電子機器と接続されるように、ケースの一側に突設され、回路基板と内部結線されるドックコネクタと、マルチメディア電子機器と接続されて、音響信号を受信するように、ケースの一側に突設され、回路基板と内部結線されるオーディオプラグと、回路基板を経て、オーディオプラグと結線されるネックレスケーブルと、回路基板を経て、ドックコネクタと結線されるＵＳＢケーブルと、イヤホーンケーブルを介して、ネックレスケーブルとＵＳＢケーブルに、各々取り付けられる１対のイヤホーンと、ＵＳＢケーブルの端部に設けられるＵＳＢコネクタとを備える。【選択図】図１
2008193700.tif 000002
【特許請求の範囲】
【請求項１】
回路基板を有するケースと、
マルチメディア電子機器と接続されるように、前記ケースの一側に突設され、前記回路基板と内部結線されるドックコネクタと、
マルチメディア電子機器と接続されて、音響信号を受信するように、前記ケースの一側に突設され、前記回路基板と内部結線されるオーディオプラグと、
前記回路基板を経て、前記オーディオプラグと結線されるネックレスケーブルと、
前記回路基板を経て、前記ドックコネクタと結線されるＵＳＢ(Universal Serial Bus)ケーブルと、
イヤホーンケーブルを介して、前記ネックレスケーブルと前記ＵＳＢケーブルとに、各々取り付けられる１対のイヤホーンと、
前記ＵＳＢケーブルの端部に設けられるＵＳＢコネクタと
を備えた
ことを特徴とするネックレスタイプイヤホーン。
【請求項２】
前記ネックレスケーブルと一端を結合するための結合手段を有する紐を備え、この紐の他端には、前記ＵＳＢコネクタに対し、着脱自在に差し込まれるカバーが設けられた請求項１記載のネックレスタイプイヤホーン。
【請求項３】
前記ＵＳＢコネクタは、表面一側に断面三角形になる締め溝を有し、前記カバーは、前記締め溝に差し込まれるフックと、このフックから所定長で延長される解除部となされる保持手段を内部に有すると共に、前記カバーの表面では、前記解除部を干渉して連動させるボタンが形成された請求項２記載のネックレスタイプイヤホーン。
【請求項４】
前記イヤホーンプラグと、ドックコネクタと、ネックレスケーブルと、ＵＳＢケーブルとは、前記ケースに内装される前記回路基板を介して、各々電気的に結線された請求項１記載のネックレスタイプイヤホーン。
【請求項５】
前記ネックレスケーブルは、一側イヤホーンと結線されるサウンドラインを含み、前記ＵＳＢケーブルは、他側イヤホーンと結線されるサウンドライン、およびＵＳＢパワーラインと、ＵＳＢデータラインを含む請求項１記載のネックレスタイプイヤホーン。
【請求項６】
前記イヤホーンケーブルを、前記ネックレスケーブルとＵＳＢケーブル各々とに結線する線別部を備えた請求項１記載のネックレスタイプイヤホーン。
【請求項７】
前記紐に、長さ調整用アヂャスタを設けた請求項２記載のネックレスタイプイヤホーン。
【発明の詳細な説明】
【技術分野】
【０００１】
本発明は、携帯用マルチメディア電子機器に用いるネックレスタイプイヤホーンに関する。
【背景技術】
【０００２】
近年、音響および通信技術の発達により、例えば、ＭＰ３(MPEG audio layer-3)プレーヤ、ＰＭＰ(Portable Multimedia Player)、デジタルカメラ、携帯電話機のような通信機器、ＡＶ機器等の携帯用マルチメディア電子機器が広く使用されている。
【０００３】
これらの携帯用マルチメディア電子機器は、通常、ＵＳＢ(Universal Serial Bus)規格の接続手段でＰＣ(Personal Computer)に接続されてデータ送受信、および充電を行い、別にイヤホーンを通じて音響を聞くことが一般である。
【発明の開示】
【発明が解決しようとする課題】
【０００４】
上述したように、携帯用マルチメディア電子機器を使用するためには、少なくともＵＳＢ規格の接続手段とイヤホーン等の装備を備えなければならないので、煩わしい。さらに、装備購入費用も掛かるため非経済的である。
【０００５】
従って、一つの装備で、データ送受信、充電、音響の聴取などが可能な装備が要望されている。
【０００６】
本発明は、このような背景の下に行われたものであって、前記マルチメディア電子機器に付加されるアクセサリとして、一つの装備でデータ送受信、および充電と、音響の聴取ができるネックレスタイプイヤホーンを提供することを目的とする。
【課題を解決するための手段】
【０００７】
本発明は、ネックレスタイプイヤホーンであって、本発明の特徴とするところは、回路基板を有するケースと、マルチメディア電子機器（例えば、携帯用マルチメディア電子機器）と接続されるように、ケースの一側に突設され、回路基板と内部結線されるドックコネクタと、マルチメディア電子機器と接続されて、音響信号を受信するように、ケースの一側に突設され、回路基板と内部結線されるオーディオプラグと、回路基板を経て、オーディオプラグと結線されるネックレスケーブルと、回路基板を経て、ドックコネクタと結線されるＵＳＢケーブルと、イヤホーンケーブルを介して、ネックレスケーブルとＵＳＢケーブルに、各々取り付けられる１対のイヤホーンと、ＵＳＢケーブルの端部に設けられるＵＳＢコネクタとを備えたところにある。
【０００８】
これにより、一つのネックレスタイプイヤホーンを通じて音響聴取ができる一方、通常のＰＣからＵＳＢケーブルに設けられたＵＳＢコネクタと、ケースのドックコネクタを通じて、ＭＰ３プレーヤ、ＰＭＰ、デジタルカメラ、携帯電話機、ＡＶ機器等の携帯用マルチメディア電子機器へ、データ送受信、および充電ができる。また、ケース内部の回路基板によって、ドックコネクタ、オーディオプラグ、ネックレスケーブル、ＵＳＢケーブル等を、簡潔に結線できる。
【０００９】
また、ネックレスケーブルと一端を結合するための結合手段を有する紐を備え、この紐の他端には、ＵＳＢコネクタに対し、着脱自在に差し込まれるカバーが設けられた構成とすることができる。
【００１０】
これによれば、ネックレスケーブルとＵＳＢケーブルとの間が、ＵＳＢコネクタに差し込まれるカバーおよび紐により、一緒に連結されるので、典型的なネックレスタイプイヤホーンとして使用することができる。
【００１１】
また、ＵＳＢコネクタは、表面一側に断面三角形になる締め溝を有し、カバーは、締め溝に差し込まれるフックと、このフックから所定長で延長される解除部となされる保持手段を内部に有すると共に、カバーの表面では、解除部を干渉して連動させるボタンが形成された構成とすることができる。
【００１２】
これによれば、ＵＳＢコネクタ締め溝にカバーのフックが強固に差し込まれるため、ネックレスタイプイヤホーンとして安定した使用ができる。
【００１３】
また、イヤホーンプラグと、ドックコネクタと、ネックレスケーブルと、ＵＳＢケーブルとは、ケースに内装される回路基板を介して、各々電気的に結線された構成とすることができる。
【００１４】
これによれば、回路基板を中心として、オーディオプラグとネックレスケーブルとの結線、そしてドックコネクタとＵＳＢケーブルとの結線を、容易に、かつ、正確に行うことができる。
【００１５】
また、ネックレスケーブルは、一側イヤホーンと結線されるサウンドラインを含み、ＵＳＢケーブルは、他側イヤホーンと結線されるサウンドライン、およびＵＳＢパワーラインと、ＵＳＢデータラインを含む構成とすることができる。
【００１６】
これによれば、イヤホーンへ結線されるサウンドラインの配線、そしてドックコネクタとＵＳＢコネクタとの間にＵＳＢパワーライン、ＵＳＢデータラインの配線を、容易に行うことができる。
【００１７】
また、イヤホーンケーブルを、ネックレスケーブルとＵＳＢケーブル各々とに結線する線別部を備えた構成とすることができる。
【００１８】
これによれば、線別部によって、ネックレスケーブルとイヤホーンケーブルとの間、そしてＵＳＢケーブルとイヤホーンケーブルとの間が、強固に、かつ、見かけよく結線される。
【００１９】
また、紐には、長さ調整をするためのアヂャスタが設けられた構成とすることができる。
【００２０】
これによれば、アヂャスタで紐の長さを、着用者の身体に合うように調整することができる。
【発明の効果】
【００２１】
本発明によれば、マルチメディア電子機器の製品サイクルを延長させると同時に、マルチメディア電子機器の利便性、経済性、携帯性を向上させることができる。
【００２２】
すなわち、本発明によれば、ネックレスタイプイヤホーンで、マルチメディア電子機器に必要なデータ送受信機能を付加させることができる。さらにＵＳＢジェンダを兼用すると、より一層多様なマルチメディア電子機器とのデータ送受信も可能になるため、製品サイクルの延長、および機器の活用度を高めることができる。
【発明を実施するための最良の形態】
【００２３】
本発明の実施形態を図１から図７を参照して説明する。本発明の実施形態のネックレスタイプイヤホーンは、携帯用オーディオ装置などの携帯用マルチメディア電子機器に簡潔に接続され、携帯用マルチメディア電子機器から電源が印加されるイヤホーン型のアクセサリである。
【００２４】
図１は、本発明の実施形態のネックレスタイプイヤホーンの全体構成を示しており、また、図２は、図１の要部を拡大して示している。図１に示すように、一側にオーディオプラグ１と、ドックコネクタ４とが突設されるケース１２と、このケース１２の他側に延長されるネックレスケーブル１０とＵＳＢケーブル１１と、ネックレスケーブル１０およびＵＳＢケーブル１１の端部に設けられる線別部２０、２２とを有し、また、自由端に通常のイヤホーン１３および１４が垂れ、線別部２０、２２から延長される１対のイヤホーンケーブル１３ａ、１４ａと、ＵＳＢケーブル１１側の線別部２０にだけ一体に設けられるＵＳＢコネクタ１８と、そのカバー１９とを備えた構成となる。
【００２５】
なお、ネックレスケーブル１０とＵＳＢケーブル１１の途中には、配線クリップ１５を取り付けることができる。これによりイヤホーンケーブル１３ａ、１４ａを、ネックレスケーブル１０およびＵＳＢケーブル１１と一緒に束ねて、簡潔に片付けることができる。
【００２６】
ケース１２の内部には、図２の示したように、中心に回路基板９が内装されており、オーディオプラグ１へ連結される２本のサウンドライン２、３が、回路基板９を介し、左右に分けられながら、各々ネックレスケーブル１０とＵＳＢケーブル１１とに沿って延長されている。
【００２７】
特に、サウンドライン２、３は、回路基板９から線別部２０、２２までに延長され、そこで、イヤホーンケーブル１３ａ、１４ａに沿ってイヤホーン１３、１４に結線される。
【００２８】
ネックレスケーブル１０は、線別部２２（紐３２とネックレスケーブル１０との結合手段）により配線が無い紐３２に結合され、紐３２の端部には、カバー１９が設けられている。
【００２９】
一方、回路基板９には、ドックコネクタ４からＵＳＢコネクタ１８の間を結ぶＵＳＢパワーライン５、８、およびＵＳＢデータライン６、７も結線され、ＵＳＢケーブル１１に沿って延長されている。さらに、サウンドライン３もＵＳＢケーブル１１内に収容されている。
【００３０】
図３は、本発明の実施形態のネックレスタイプイヤホーンの斜視図と共に線別部２０の内部を示す図である。また、図４は、線別部２０の詳細な構成を示す図である。ＵＳＢコネクタ１８の端部には、図３に示したように、ＵＳＢパワーライン５、８、およびＵＳＢデータライン６、７の端子の一部が露出されており、かつ、その下面には、図４に示したように、断面三角の締め溝１８ａが掘り込まれている。この締め溝１８ａと対応して、ＵＳＢコネクタ１８のカバー１９の内部には、板スプリングタイプの保持手段２１が設けられている。
【００３１】
保持手段２１は、締め溝１８ａに差し込まれるフック２１ａと、このフック２１ａから一定の長さで延長される解除部２１ｂとからなる。また、解除部２１ｂに対応して、カバー１９の一側表面には、ボタン１９ａが設けられており、このボタン１９ａを押すと、解除部２１ｂが干渉され、その結果に、フック２１ａは、締め溝１８ａから脱げるように連動される。
【００３２】
なお、オーディオプラグ１は、ＭＰ３プレーヤ、ＰＭＰや、携帯電話機等の携帯用マルチメディア電子機器から送出される音響信号が印加される通路であり、ドックコネクタ４は、携帯用マルチメディア電子機器に電源とデータを入力する通路である。
【００３３】
左右側イヤホーン１３、１４は、各々ネックレスケーブル１０と、ＵＳＢケーブル１１とから線別部２０、２２を経て延長される１対のイヤホーンケーブル１３ａ、１４ａと電気的に、また、十分な長さを持つように連結される。
【００３４】
そして、ネックレスケーブル１０から線別部２２を経てＵＳＢケーブル１１に繋がる紐３２の部分には、ネックレスの長さを調整するアヂャスタ３１が設けられている。
【００３５】
次に、前述のような本発明の実施形態のネックレスタイプイヤホーンによる使用例を説明する。図５は、本発明の実施形態のネックレスタイプイヤホーンを携帯用マルチメディア電子機器３０と接続した使用例である。
【００３６】
この使用例において、オーディオプラグ１とドックコネクタ４とは、携帯用マルチメディア電子機器３０と連結されているが、カバー１９がＵＳＢコネクタ１８に差し込まれているから、使用者はネックレスタイプイヤホーンを首に掛けることができる。
【００３７】
また、ドックコネクタ４は動作しないで、ただ、携帯用マルチメディア電子機器３０からオーディオプラグ１に入力される音響信号によってイヤホーン１３、１４を通じて音楽を聞くことができる。
【００３８】
図６は、本発明の実施形態のネックレスタイプイヤホーンを、携帯用マルチメディア電子機器３０と通常のＰＣ(Personal Computer)５０の間に接続した使用例を示している。この使用例において、ＭＰ３プレーヤ、ＰＭＰ、デジタルカメラ、携帯電話機等の携帯用マルチメディア電子機器３０は、オーディオプラグ１およびドックコネクタ４に接続され、また、ＵＳＢコネクタ１８はカバー１９を取り外した状態でＰＣ５０のＵＳＢ端子と接続される。
【００３９】
このような使用例では、ＰＣ５０からＵＳＢコネクタ１８を通じて携帯用マルチメディア電子機器３０へ、データ伝送、および充電を実施することができる。
【００４０】
また、図７は、車内のシガープラグ４０を用いた使用例を示す図である。図７に示すように、車内のシガープラグ４０が有しているＵＳＢ端子４１に、ＵＳＢコネクタ１８を接続しても、携帯用マルチメディア電子機器３０の充電が可能である。
【産業上の利用可能性】
【００４１】
本発明に関するネックレスタイプイヤホーンによると、データ送受信と充電、そしてイヤホーンの機能を、一つのネックレスタイプイヤホーンが全て具備しているので携帯用マルチメディア電子機器の必須アクセサリとして便利に利用することができる。
【図面の簡単な説明】
【００４２】
【図１】本発明の実施形態のネックレスタイプイヤホーンの全体構成を示す正面図である。
【図２】本発明の実施形態のネックレスタイプイヤホーンの要部構成を、平面に示す概略図である。
【図３】本発明の実施形態のネックレスタイプイヤホーンの斜視図およびＵＳＢコネクタからそのカバーを外した状態を示す図である。
【図４】ＵＳＢコネクタとそのカバーの分解斜視図である。
【図５】本発明の実施形態のネックレスタイプイヤホーンを、マルチメディア電子機器へ接続した使用例を示す図である。
【図６】本発明の実施形態のネックレスタイプイヤホーンを、外部機器としてＰＣへ接続した使用例を示す図である。
【図７】本発明の実施形態のネックレスタイプイヤホーンで、マルチメディア電子機器の充電を行うことにおいて、車内のシガープラグを利用する使用例を示す図である。
【符号の説明】
【００４３】
１  オーディオプラグ
２、３  サウンドライン
４  ドックコネクタ
５、８  ＵＳＢパワーライン
６、７  ＵＳＢデータライン
９  回路基板
１０  ネックレスケーブル
１１  ＵＳＢケーブル
１２  ケース
１３、１４  イヤホーン
１３ａ、１４ａ  イヤホーンケーブル
１５  配線クリップ
１８  ＵＳＢコネクタ
１８ａ  締め溝
１９  カバー
１９ａ  ボタン
２０、２２  線別部（結合手段）
２１  保持手段
２１ａ  フック
２１ｂ  解除部
３０  携帯用マルチメディア電子機器
３１  アヂャスタ
３２  紐
４０  シガープラグ
４１  ＵＳＢ端子
５０  ＰＣ
【図１】
2008193700.tif 000003
【図２】
2008193700.tif 000004
【図３】
2008193700.tif 000005
【図４】
2008193700.tif 000006
【図５】
2008193700.tif 000007
【図６】
2008193700.tif 000008
【図７】
2008193700.tif 000009